(57)【要約】井戸水、地下水、河川水又は海水等の自然水の熱源を有効に利用したＣＯ２を冷媒とするヒートポンプを空調システムに適用して、大掛かりな付帯設備を要することなく、暖房給湯能力や冷凍能力を向上することを目的とし、圧縮機の下流側に第１のストップバルブ５を第１の膨張弁４と並列させて設け、第１ストップバルブ５及び第１膨張弁４の下流側に自然水と熱交換を行う熱交換器６を設け、同熱交換器の下流側に第２ストップバルブ８を第２の膨張弁７と並列に設け、第２のストップバルブ８及び前記第２の膨張弁７の下流側に冷水から蒸発潜熱を奪って冷媒を蒸発させる蒸発器８を設けヒートポンプを用いて、暖房給湯運転を行なう場合、第１ストップバルブ５を閉、第２ストップバルブ７を開とし、暖房給湯・冷凍運転を行なう場合、ストップバルブの開閉を前記運転と逆にする。【特許請求の範囲】
【請求項１】
ＣＯ２を冷媒として用い、ＣＯ２冷媒が循環する経路に、冷媒を圧縮する圧縮機と、圧縮された冷媒を冷却する温水供給用ガスクーラと、冷媒を低圧にして膨張させる膨張弁と、冷媒を膨張させて冷水から膨張潜熱を奪う蒸発器とを介在させたヒートポンプにおいて、前記圧縮機の下流側に第１のストップバルブを第１の膨張弁と並列させて設け、前記第１ストップバルブ及び前記第１膨張弁の下流側に自然水と熱交換を行う熱交換器を設け、同熱交換器の下流側に第２ストップバルブを第２の膨張弁と並列に設け、前記第２のストップバルブ及び前記第２の膨張弁の下流側に冷水から蒸発潜熱を奪って冷媒を蒸発させる蒸発器を設けたことを特徴とするＣＯ２を冷媒とするヒートポンプ。
【請求項２】
前記第２のストップバルブの出口側を前記蒸発器の下流側に接続したことを特徴とする請求の範囲第１項記載のＣＯ２を冷媒とするヒートポンプ。
【請求項３】
前記自然水とは、井戸水、河川水、地下水又は海水であることを特徴とする請求の範囲第１項記載のＣＯ２を冷媒とするヒートポンプ。
【請求項４】
請求の範囲第１項又は２項記載のヒートポンプを用いて暖房給湯運転を行う方法において、前記第１のストップバルブを閉じ、冷媒を前記第１の膨張弁を通すことによって減圧膨張させるとともに、前記熱交換器において自然水から蒸発潜熱を奪って蒸発させ、次に前記第２のストップバルブを開け冷媒を前記第２のストップバルブから流すことにより、前記蒸発器を作動させずに冷媒を前記圧縮機に送ることを特徴とするヒートポンプの暖房給湯運転方法。
【請求項５】
請求の範囲第１項又は２項記載のヒートポンプを用いて暖房給湯冷房運転を行う方法において、前記第１のストップバルブを開け、冷媒を前記第１のストップバルブを通すことによって前記熱交換器において自然水と熱交換を行い、次に前記第２のストップバルブを閉じ冷媒を前記第２の膨張弁から流すことにより、冷媒を減圧膨張させるとともに、前記蒸発器で冷水から蒸発潜熱を奪って蒸発させ、その後冷媒を圧縮機に送ることを特徴とするヒートポンプの暖房給湯冷房運転方法。
【発明の詳細な説明】
【技術分野】  本発明は、井戸水、地下水、河川水又は海水等の自然水の熱源を利用したＣＯ２を冷媒とするヒートポンプ及びその運転方法に係り、詳しくは、大掛かりな付帯設備を必要とすることなく、簡素かつ安価な構造にて暖房給湯運転と暖房給湯及び冷房運転とに切り替え可能な構成とし、このヒートポンプを用いて暖房給湯運転を行なうに際しては、前記自然水の熱源を利用することにより暖房給湯能力を高め、また前記ヒートポンプを用いて暖房給湯及び冷凍運転を行なうに際しては、前記自然水の冷熱源を利用することにより、冷凍能力を向上させた運転方法に関する。
【背景技術】  従来井戸水、地下水等の自然水の熱源を利用したＣＯ２を冷媒とするヒートポンプを冷暖房あるいは給湯システム等に適用したシステムは種々提案されている。
たとえば特開平８−２４７４９６号公報（先行技術１）には、地下水の熱源を利用して、消雪、暖房及び冷房等を行なうヒートポンプ利用システムが開示されている。
このシステムは、汲み上げ地下水を直接消雪に利用し、消雪利用後の地下水をヒートポンプの蒸発器用熱源として利用し、利用後の低温地下水を還元井戸に戻すシステムである。
また特開２００２−５４８５６号公報（先行技術２）及び特開２００２−５４８５７号公報（先行技術３）には、地下水を利用したヒートポンプを住宅用の冷暖房・給湯システムに適用したシステムが開示されている。このシステムは、冷房サイクルと暖房サイクルとの切り替えを四方弁で行なっている。
また特開２００２−１４６８５２号公報（先行技術４）には、地下水の熱源を利用して室内の冷暖房を行なうシステムが開示されている。
しかし前述の各先行技術は、実機適用に際し、解決すべき課題が残り、また大掛かりな設備を必要としたり、あるいは熱効率があまり上がらない等の問題があり、なかなか実機として実現するに至っていないのが現状である。
【発明の開示】
本発明は、かかる従来技術の課題に鑑み、井戸水、地下水、河川水又は海水等の自然水の熱源を有効に利用した、ＣＯ２を冷媒とするヒートポンプを空調システムに適用して、暖房給湯能力や冷凍能力を向上することを目的とする。
また、本発明の第２の目的は、前記自然水の熱源を利用するに際し、大掛かりな設備の導入を必要としないことにある。
また本発明の第３の目的は、冷房から暖房あるいは給湯システムへの運転モードの切り替え、又はその逆モードへの切り替えがスムーズに行なわれるようにすることにある。
そして、本発明は、かかる目的を達成するもので、その第１発明は、ＣＯ２を冷媒として用い、ＣＯ２冷媒が循環する経路に、冷媒を圧縮する圧縮機と、圧縮された冷媒を冷却する温水供給用ガスクーラと、冷媒を低圧にして膨張させる膨張弁と、冷媒を膨張させて冷水から膨張潜熱を奪う蒸発器とを介在させたヒートポンプにおいて、前記圧縮機の下流側に第１のストップバルブを第１の膨張弁と並列させて設け、前記第１ストップバルブ及び前記第１膨張弁の下流側に自然水と熱交換を行う熱交換器を設け、同熱交換器の下流側に第２ストップバルブを第２の膨張弁と並列に設け、前記第２のストップバルブ及び前記第２の膨張弁の下流側に冷水から蒸発潜熱を奪って冷媒を蒸発させる蒸発器を設けたことを特徴とするＣＯ２を冷媒とするヒートポンプに係る。
本発明のヒートポンプにおいて、好ましくは、前記第２のストップバルブの出口側を前記蒸発器の下流側に接続する。なお自然水とは、井戸水、河川水、地下水又は海水等である。
また本発明の第２の発明は、かかる構成を有するヒートポンプを用いて、暖房給湯運転を行う方法において、前記第１のストップバルブを閉じ、冷媒を前記第１の膨張弁を通すことによって膨張させて前記熱交換器において自然水から蒸発潜熱を奪って蒸発させ、次に前記第２のストップバルブを開け冷媒を前記第２のストップバルブから流すことにより、前記蒸発器を作動させずに冷媒を前記圧縮機に送ることを特徴とする。
また本発明の第３の発明は、前記構成を有するヒートポンプを用いて、暖房給湯・冷房運転を行う方法において、前記第１のストップバルブを開け、冷媒を前記第１のストップバルブを通すことによって前記熱交換器において凝縮液のまま自然水と熱交換を行い、次に前記第２のストップバルブを閉じ冷媒を前記第２の膨張弁から流すことにより、冷媒を膨張させ前記蒸発器で冷水から蒸発潜熱を奪って蒸発させ、その後冷媒を圧縮機に送ることを特徴とする。
本発明のヒートポンプによれば、圧縮機の下流側に第１のストップバルブを第１の膨張弁と並列させて設け、前記第１ストップバルブ及び前記第１膨張弁の下流側に自然水と熱交換を行う熱交換器を設け、同熱交換器の下流側に第２ストップバルブを第２の膨張弁と並列に設け、前記第２のストップバルブ及び前記第２の膨張弁の下流側に冷水から蒸発潜熱を奪って冷媒を蒸発させる蒸発器を設けたことにより、前記第１のストップバルブ及び前記第２のストップバルブの開閉操作のみにて暖房給湯運転及び暖房給湯・冷房運転相互の切り替えを極めて簡単に行なうことができるとともに、暖房給湯運転及び暖房給湯・冷房運転相互の切り替えを可能とするための付帯設備は簡単な構成で済む。また自然水の熱源を利用するに際しても、熱交換器等を設置するだけの簡単な設備を付設するだけで済む。
すなわち本発明のヒートポンプを用いて暖房給湯運転を行なうに際しては、前記第１のストップバルブを閉じ、前記第２のストップバルブを開ければよい。第１のストップバルブを閉じることによって、冷媒が第１の膨張弁を通り、減圧されて膨張し、前記蒸発器において蒸発するため、自然水の熱源を蒸発潜熱として効率的に奪うことができ、これによって暖房及び給湯能力を向上させることができる。なおさらに下流側の冷水供給蒸発器は、冷水の供給が止められており、第２のストップバルブが開となっているため、冷媒は第２のストップバルブを通って流れ、前記冷水供給蒸発器は作動することなく、冷媒はそのまま圧縮機側に流れる。
好ましくは、前記第２のストップバルブの出口側を前記蒸発器の下流側に接続することにより、冷媒は前記蒸発器を経由することなく、圧縮機側にスムーズに流入させることができる。
また本発明のヒートポンプを用いて暖房給湯・冷房運転を行なうに際しては、前記第１のストップバルブを開け、前記第２のストップバルブを閉じればよい。第１のストップバルブを開けることにより、冷媒は第１の膨張弁を通らないために膨張することなく、逆に自然水より高温であるため、前記熱交換器で自然水に熱を奪われて冷却される。また前記熱交換器の下流側では２ストップバルブが閉じられているために、冷媒が第２膨張弁を通り、ここで減圧され膨張して、前記蒸発器で蒸発するため、冷水より蒸発潜熱を奪って、冷水を冷却する。この場合の冷凍能力は、前記熱交換器で自然水に熱を奪われる分だけ増加させることができる。
【図面の簡単な説明】  第１図は、本発明のヒートポンプによる暖房給湯運転方法を実施した第１実施例を示す系統図である。
第２図は、前記第１実施例の運転時におけるモリエル線図である。
第３図は、本発明のヒートポンプによる暖房給湯・冷房運転方法を実施した第２実施例に係る系統図である。
第４図は、前記第２実施例の運転時におけるモリエル線図である。
【発明を実施するための最良の形態】  以下、本発明を図に示した実施例を用いて詳細に説明する。但し、この実施例に記載されている構成部品の寸法、材質、形状、その相対配置などは特に特定的な記載がない限り、この発明の範囲をそれのみに限定する趣旨ではなく、単なる説明例にすぎない。
本発明の第１実施例に係る第１図〜第２図において、ｄはＣＯ２冷媒の循環ライン、１はＣＯ２冷媒を圧縮する圧縮機、２は圧縮機１の駆動モータ、３は圧縮されたＣＯ２冷媒を給水ラインｆで供給される給水で冷却するガスクーラで、給水はたとえば図示のように５５℃で給水され、ＣＯ２冷媒により９０℃に加熱される。
４及び５は、循環ラインｄに互いに並列に介装された第１の膨張弁及び第１のストップバルブ、６はＣＯ２冷媒と井水ラインｇから供給される井水とを熱交換する熱交換器、７及び８は、熱交換器６の下流側で循環ラインｄに互いに並列に介装された第２の膨張弁及び第２のストップバルブ、９はＣＯ２冷媒が冷水ラインｈから供給される冷水から蒸発潜熱を奪って蒸発する蒸発器である。なお別の実施例として、第２ストップバルブ８の出口側から蒸発器９の下流側の循環ラインｄに接続されるバイパスラインｅを設けてもよい。
かかる構成のヒートポンプにおいて、暖房給湯運転を行なうに際しては、まず第１ストップバルブ５を閉じ、第２ストップバルブ８を開とする。かかる状態で、まずＣＯ２冷媒は圧縮機１で圧縮されて昇圧昇温し（第２図中の圧縮工程Ａ），次にガスクーラ３で給水に熱を奪われ、冷却される（第２図中の冷却工程Ｂ）。一方給水は５５℃から９０℃の温水に加熱され、暖房用、あるいは給湯、温水として使用される。
ここで冷却されたＣＯ２冷媒は、第１ストップバルブ５が閉じられているので、第１膨張弁４を通って減圧膨張され（第２図中の膨張行程Ｃ）、熱交換器６で井水から蒸発潜熱を奪って蒸発し気化する（第２図中の蒸発工程Ｄ）。一方井水ラインｇの井水はたとえば図示のように１５℃から１０℃に冷却される。
次に蒸発したＣＯ２冷媒は、第２ストップバルブ８が開放されているので、第２ストップバルブ８を通って、蒸発器９を経て圧縮機１に至る。本実施例では、暖房給湯運転であるので、冷水ラインｈの冷水の供給はない。
なお第２図のモリエル線図において、Ｋは臨界点（臨界温度３１．１℃、臨界圧力７５．２８Ｋｇ／ｃｍ２）、ＳＬは飽和液線、Ｓｙは飽和蒸気線、Ｔｋは等温線、Ｐｋは臨界圧、長さｂは暖房給湯能力を示す。
かかる第１実施例の装置によれば、井水ラインｇから供給される井水の熱源を利用することにより、高い暖房給湯能力ｂを得ることができる。また第１及び第２のストップバルブ５及び８を第１及び第２の膨張弁４及び７と並列に設けたことにより、第１及び第２のストップバルブ５及び８の開閉操作を行なうだけで、簡単に暖房給湯運転を行なうことができる。また井水の熱源を利用するための設備としては、井水と冷媒との熱交換を行なう熱交換器６を設置するだけの簡単な付帯設備だけで済む。
なお別の実施例として、第２ストップバルブ８の出口側から蒸発器９の下流側の循環ラインｄに接続されるバイパスラインｅを設ければ、ＣＯ２冷媒を蒸発器９を経ることなしに、スムーズに圧縮機１の入口側に導入することができる。
次に本発明のヒートポンプを用いて暖房給湯・冷房運転を行なった第２実施例について図面に基づいて説明する。第３図及び第４図は、第２実施例に係る系統図及びモリエル線図である。第３図及び第４図において、ヒートポンプの構成は前記第１実施例と同一の構成である。本第２実施例において暖房給湯・冷房運転を行なうに際しては、まず第１ストップバルブ５を開とし、第２ストップバルブ８を閉じる。
かかる状態で、まずＣＯ２冷媒は圧縮機１で圧縮されて昇圧昇温し（第２図中の圧縮工程Ａ），次にガスクーラ３で給水に熱を奪われ、冷却される（第２図中の冷却工程Ｂ１）。一方給水は５５℃から９０℃の温水に加熱され、暖房用、あるいは給湯、温水として使用される。
ガスクーラ３で冷却されたＣＯ２冷媒は、第１ストップバルブ５を通って熱交換器６に入る。熱交換器６に入ったＣＯ２冷媒は、井水ラインｇから供給される井水より高温であるため、井水に熱を奪われ、冷却される（第４図中の冷却工程Ｂ２）。一方井水は、たとえば第３図に示すように、１５℃から２０℃に加熱される。
次に熱交換器６の下流側で、第２ストップバルブ８が閉じられているため、ＣＯ２冷媒は第２膨張弁７を通り、ここで減圧され膨張し（第４図中の膨張行程Ｃ）、蒸発器９で冷水ラインｈから供給される冷水から蒸発潜熱を奪って蒸発する（第４図中の蒸発工程Ｄ）。
なお第４図において、長さａは、本第２実施例の運転時における冷凍能力、長さｂは暖房給湯能力、及び長さｃは熱交換器６で井水によるＣＯ２冷媒の冷却能力を示す。
かかる第２実施例によれば、熱交換器６でＣＯ２冷媒が井水により冷却される冷却能力の分だけ冷凍能力を増大することができる。また第１及び第２ストップバルブ５及び８の開閉操作をするだけで、簡単に運転モードを切り替えることができる。しかも運転モードを切り替えるために要する装置構成は、膨張弁とストップバルブを並列に設けるだけでよく、きわめて簡単かつ安価なる設備で済むという利点がある。
【産業上の利用可能性】  本発明によれば、圧縮機の下流側に第１のストップバルブを第１の膨張弁と並列させて設け、前記第１ストップバルブ及び前記第１膨張弁の下流側に自然水と熱交換を行う熱交換器を設け、同熱交換器の下流側に第２ストップバルブを第２の膨張弁と並列に設け、前記第２のストップバルブ及び前記第２の膨張弁の下流側に冷水から蒸発潜熱を奪って冷媒を蒸発させる蒸発器を設けたヒートポンプを用いることにより、自然水の熱源を利用するに際し大掛かりな設備の導入を必要とせず、また暖房給湯運転及び冷房運転相互間の運転モードを切り替えるために要する装置構成は、膨張弁とストップバルブとを並列に設ける等のきわめて簡単かつ安価な設備で済む。
また前記構成のヒートポンプを空調システムに適用して、暖房給湯運転を行なうに際しては、第１のストップバルブを閉じ、冷媒を前記第１の膨張弁を通すことによって減圧膨張させるとともに、前記熱交換器において自然水から蒸発潜熱を奪って蒸発させる。このように自然水の熱源を利用することにより、暖房給湯能力を大きく向上させることができる。
また暖房給湯・冷房運転を行なうに際しては、第１のストップバルブを開け、冷媒を前記第１のストップバルブを通すことによって前記熱交換器において自然水と熱交換を行い、次に前記第２のストップバルブを閉じ冷媒を前記第２の膨張弁から流すことにより、冷媒を減圧膨張させるとともに、前記蒸発器で冷水から蒸発潜熱を奪って蒸発させ、その後冷媒を圧縮機に送る。このように自然水の熱源を利用することにより、暖房給湯能力のみならず、冷凍能力を大きく向上させることができる。
【図１】
2006051617.tif 000002
【図２】
2006051617.tif 000003
【図３】
2006051617.tif 000004
【図４】
2006051617.tif 000005
【手続補正書】
【提出日】平成18年3月6日(2006.3.6)
【手続補正１】
【補正対象書類名】特許請求の範囲
【補正対象項目名】請求の範囲
【補正方法】変更
【補正の内容】
【書類名】請求の範囲
【請求項１】（補正後）ＣＯ２を冷媒として用い、ＣＯ２冷媒が循環する経路に、冷媒を圧縮する圧縮機と、圧縮された冷媒を冷却する温水供給用ガスクーラと、冷媒を低圧にして膨張させる膨張手段と、冷媒を膨張させて冷水から膨張潜熱を奪う蒸発器とを介在させたヒートポンプにおいて、
前記圧縮機の下流側に第１のストップバルブを第１の膨張手段と並列させて設け、前記第１ストップバルブ及び前記第１膨張手段の下流側に自然水と熱交換を行う熱交換器を設け、同熱交換器の下流側に第２ストップバルブを第２の膨張手段と並列に設け、前記第２のストップバルブ及び前記第２の膨張手段の下流側に冷水から蒸発潜熱を奪って冷媒を蒸発させる蒸発器を設け、前記第１のストップバルブ及び前記第２のストップバルブの開閉操作にて温水供給用ガスクーラの温水を利用して暖房と給湯を行う運転と、前記温水供給用ガスクーラの温水を利用した給湯と前記蒸発器による冷房運転の相互切り替えを可能に構成したことを特徴とするＣＯ２を冷媒とするヒートポンプ。
【請求項２】（補正後）ＣＯ２を冷媒として用い、ＣＯ２冷媒が循環する経路に、冷媒を圧縮する圧縮機と、圧縮された冷媒を冷却する温水供給用ガスクーラと、冷媒を低圧にして膨張させる膨張手段と、冷媒を膨張させて冷水から膨張潜熱を奪う蒸発器とを介在させたヒートポンプにおいて、
前記圧縮機の下流側に第１のストップバルブを第１の膨張手段と並列させて設け、前記第１ストップバルブ及び前記第１の膨張手段の下流側にＣＯ２冷媒の臨界温度以下の自然水と熱交換を行う熱交換器を設け、同熱交換器の下流側に第２ストップバルブを第２の膨張手段と並列に設け、前記第２のストップバルブ及び前記第２の膨張手段の下流側に冷水から蒸発潜熱を奪って冷媒を蒸発させる蒸発器を設けるとともに、前記第２のストップバルブの出口側と前記蒸発器の下流側に接続するバイパス回路を設けたことを特徴とするＣＯ２を冷媒とするヒートポンプ。
【請求項３】（補正後）前記自然水とは、ＣＯ２冷媒の臨界温度以下の井戸水、河川水、地下水又は海水であることを特徴とする請求の範囲第１項記載のＣＯ２を冷媒とするヒートポンプ。
【請求項４】（補正後）請求の範囲第２項記載のヒートポンプを用いて前記温水供給用ガスクーラの温水を利用して暖房と給湯運転を行う方法において、前記第１のストップバルブを閉じ、ＣＯ２冷媒を前記第１の膨張手段を通すことによって減圧膨張させるとともに、前記熱交換器においてＣＯ２冷媒の臨界温度以下の自然水から蒸発潜熱を奪って蒸発させ、次に前記第２のストップバルブを開け冷媒を前記第２のストップバルブからバイパス回路を経由して流すことにより、前記蒸発器を作動させずにＣＯ２冷媒を前記圧縮機に送ることを特徴とするヒートポンプの暖房給湯運転方法。
【請求項５】（補正後）請求の範囲第１若しくは２項記載のヒートポンプを用いて前記温水供給用ガスクーラの温水を利用した給湯と前記蒸発器による冷房運転を行う方法において、前記第１のストップバルブを開け、ＣＯ２冷媒を前記第１のストップバルブを通すことによって前記熱交換器において該ＣＯ２冷媒の臨界温度以下の自然水と熱交換を行って冷却した後、次に前記第２のストップバルブを閉じ冷媒を前記第２の膨張手段から流すことにより、ＣＯ２冷媒を減圧膨張させるとともに、前記蒸発器で冷水から蒸発潜熱を奪って蒸発させ、その後冷媒を圧縮機に送ることを特徴とするヒートポンプの給湯冷房運転方法。
１１
【国際調査報告】
2006051617.tif 000006
2006051617.tif 000007
2006051617.tif 000008
2006051617.tif 000009